Podtech/llm-jp-corpus-v4-ja_patent huggingface dataset:
(57)【要約】      （修正有）【課題】蓄光品を使って自走式玩具用レールを光らせ、暗い場所でも楽しむことが可能となることを解決することができる自走式玩具用蓄光レール構造を提供する。【解決手段】自走式玩具用レール２の上面に蓄光品１を設け、蓄光の輝度を使って、暗い場所でも自走式玩具用レールを浮かび上らせることにより楽しむことが可能となる蓄光品を、自走式玩具用レールと組み合せることを特徴とする。【選択図】図１
0003184632.tif 000002
【実用新案登録請求の範囲】
【請求項１】
自走式玩具用レールに蓄光品を組合せ、蓄光の輝度を使って、暗い場所でもレールを浮かび上らせることが可能となる蓄光品を自走式玩具用レールと組み合せることを特徴とする自走式玩具用蓄光レール構造の物品である。
【考案の詳細な説明】
【技術分野】
【０００１】本考案は、自走式玩具を走行するレールに蓄光品の輝度を利用し暗い場所でも、楽しむことができる自走式玩具用蓄光レール構造に関する。【０００２】従来の自走式玩具用レールは、明るい場所で楽しむように作られている。【０００３】しかしながら、従来の自走式玩具用レールは、暗い場所では楽しむことが難しく、仮に楽しむ場合は、蛍光灯などの照明を点ける必要があった。
【先行技術文献】
【特許文献】
【０００４】
【特許文献１】
【非特許文献】
【０００５】
【非特許文献１】
【考案の概要】
【考案が解決しようとする課題】
【０００６】本考案は、以上のような従来の欠点に鑑み、蓄光品を使って自走式玩具用レールを暗い場所でも楽しむことが可能となることを目的としている。
【課題を解決するための手段】
【０００７】上記目的を達成するために、本考案は（［請求項１］の構成要件）で、自走式玩具用蓄光レール構造を構成している。
【考案の効果】
【０００８】以上の説明から明らかなように、本考案にあっては次に列挙する効果が得られる。
（１）（［請求項１］の構成要件）とで構成されているので、蓄光品を使って暗い場所などで自走式玩具を楽しむことができる。
【図面の簡単な説明】
【０００９】
【図１】  本考案を実施するため最良の形態を示す構造図である。
【図２】  自走式玩具用蓄光レール《曲線》製品図（上面）
【図２】  自走式玩具用蓄光レール《曲線》製品図（側面）
【考案を実施するための形態】
【００１０】以下、本考案の実施形態を図に基づいて説明する。
【実施例１】
【００１１】［図１］  本考案を実施するため最良の形態を示す構造図である。
0003184632.tif 000003
【００１２】［図２］  自走式玩具用蓄光レールの曲線レール製品図（上面）である。【００１３】［図３］  自走式玩具用蓄光レールの曲線レール製品図（側面）である。
【産業上の利用可能性】
【００１４】本考案は、自走式玩具用蓄光レールを製造する産業で利用される。
【符号の説明】
【００１５】１  蓄光シート
２  自走式玩具用レール
【図１】
0003184632.tif 000004
【図２】
0003184632.tif 000005
【図３】
0003184632.tif 000006
【手続補正書】
【提出日】平成25年4月10日(2013.4.10)
【手続補正１】
【補正対象書類名】実用新案登録請求の範囲
【補正対象項目名】全文
【補正方法】変更
【補正の内容】
【実用新案登録請求の範囲】
【請求項１】
自走式玩具用レールの上面に、蓄光品を設けたことを特徴とする自走式玩具用蓄光レール構造。
【手続補正２】
【補正対象書類名】明細書
【補正対象項目名】０００９
【補正方法】変更
【補正の内容】
【０００９】
【図１】  本考案を実施するため最良の形態を示す構造図である。
【図２】  自走式玩具用蓄光レール《曲線》製品図（上面）
【図３】  自走式玩具用蓄光レール《曲線》製品図（側面）
【手続補正３】
【補正対象書類名】明細書
【補正対象項目名】００１１
【補正方法】変更
【補正の内容】
【００１１】
【図１】  本考案を実施するため最良の形態を示す構造図である。
(57)【要約】      （修正有）【課題】樹脂製メガネフレームの軽量化、肉厚の薄化によって、フレーム側をＶ溝で掘り下げた分、更に肉厚が薄くなり、強度不足となることによるフレーム割れが発生することを防ぐため、フレーム側の構造のみで、フレームが割れる事無く、フレームの軽量化、肉厚の薄化にも対応出来るようにしたフレーム側のＴ溝構造を提供する。【解決手段】ポリフェニルサルフォン、又は、ポリエーテルイミドの樹脂を用いた、肉厚０．５〜２ｍｍの眼鏡フレームに、レンズ２をはめ込む際の、フレームフレーム構造であって、フレーム側の溝を、Ｖ型に掘り下げる構造から、Ｔ型に盛る構造にする事によって、逆に強度を上げることを特徴とする。【選択図】図１
0003184639.tif 000002
【実用新案登録請求の範囲】
【請求項１】
ポリフェニルサルフォン、又は、ポリエーテルイミド（公序良俗違反につき、不掲載）等の樹脂を用いた、肉厚０．５〜２ｍｍの眼鏡フレームに、レンズをはめ込む際の、フレーム側の溝の構造。
【考案の詳細な説明】
【技術分野】
【０００１】本考案は、樹脂製メガネフレームに、レンズをはめ込む際の、フレーム側の溝の構造に関するものである。
【背景技術】
【０００２】樹脂製メガネフレームにおいて、レンズをはめ込む為のフレーム側の溝は、従来、Ｖ溝が基本で有ったが、近年、韓国産のポリエーテルイミド樹脂フレームなどにより、メガネフレームの肉厚が薄くなるに従い、強度が保てなくなっている。
【考案の概要】
【考案が解決しようとする課題】
【０００３】このように、樹脂製メガネフレームの軽量化、肉厚の薄化により、フレーム側をＶ溝で掘り下げた分、更に肉厚が薄くなり、強度不足の為、フレームが割れる問題が発生している。本考案は、この問題を解決する為になされたものである。
【課題を解決するための手段】
【０００４】フレーム側を掘り下げるのでは無く．フレーム側をＴ型に盛った。
【考案の効果】
【０００５】フレーム側をＴ型に盛る事によって、逆に強度が上がり、フレームが割れる問題は解決し、樹脂製メガネフレームの軽量化、肉厚の薄化にも対応出来るようになった。
【考案を実施するための形態】
【０００６】図１は、本考案のＴ溝構造の断面図です。図２の従来のＶ溝構造の断面図と比べてもらうと分かる様に、Ｔ溝の肉厚（３）は、Ｖ溝の肉厚（４）に比べ厚く、強度が上がってる事が理解して頂けると思います。
図１の本考案のレンズ（２）側の溝に関しては、従来より有る削り方のまま利用が可能なので、眼鏡店に特別な依頼をせずとも、実施可能です。
【図面の簡単な説明】
【０００７】
【図１】本考案のＴ溝構造の断面図
【図２】従来のＶ溝構造の断面図
【符号の説明】
【０００８】１  眼鏡本体
２  レンズ
３  Ｔ溝の肉厚
４  Ｖ溝の肉厚
【図１】
0003184639.tif 000003
【図２】
0003184639.tif 000004
【手続補正書】
【提出日】平成25年4月10日(2013.4.10)
【手続補正１】
【補正対象書類名】実用新案登録請求の範囲
【補正対象項目名】全文
【補正方法】変更
【補正の内容】
【実用新案登録請求の範囲】
【請求項１】
ポリフェニルサルフォン、又は、ポリエーテルイミドの樹脂を用いた、肉厚０．５〜２ｍｍの眼鏡フレームに、レンズをはめ込む際の、フレーム側のＴ溝構造。
(57)【要約】      （修正有）【課題】窯の中や薪ストーブの中や野外の炭火の中に鍋を直接投入する際、簡単に取り外しができるＸ型取手で、鍋の左右にある受け板をＸ型取手の凹部にのせて持ち上げることのできるもので、高温の火中に直接手を入れなくてすむことから、火傷のリスクを低減するＸ型取手つき窯内用鍋を提供する。【解決手段】鍋を窯の中や薪ストーブの中や野外の炭火の中に直接投入する際、鍋の左右に取手受け板を設けたＸ型取手つき窯内用鍋で、受け板をＸ型取手Ａの凹部にのせて挟みながら運び、投入することで、高温の火中に直接手を入れることがなくなり、火傷の防止を可能にすることができることから、課題を解決しているもので、火傷リスクの低減に役立つものである。【選択図】図１
0003184638.tif 000002
【実用新案登録請求の範囲】
【請求項１】
Ｘ型取手つき窯内用鍋を、受け板を利用しＸ型取手にて持ち上げ、窯の中や薪ストーブの中や野外の炭火の中に直接投入できることを特徴とする、Ｘ型取手つき窯内用鍋
【請求項２】
Ｘ型取手つき窯内用鍋を、窯の中や薪ストーブの中や野外の炭火の中に直接投入する際、鍋の受け板をＸ型取手の凹部にのせ、挟みながら鍋を運び、高温の火中に直接手を入れることがなくなり、火傷のリスクが低減されることを特徴とする、Ｘ型取手つき窯内用鍋
【考案の詳細な説明】
【技術分野】
【０００１】  本考案は、窯の中や薪ストーブの中や野外の炭火の中に直接投入し、食品を炊き上げることのできる鍋で、左右に取手の受け板を有し、投入及び取出しの時に、取付け取外しの簡単なＸ型の取手を付けて使用するものであって、高温の火中に直接手を入れることがなくなることにより、火傷の防止が可能にできるものである。
【背景技術】
【０００２】  本考案のＸ型取手つき窯内用鍋は、窯の中や薪ストーブの中や野外の炭火の中に直接投入し、食品を炊き上げることのできるものであることから、鍋の構造上、普通の鍋に比べて材質の厚みが厚くなるために、重量のあるものとなる。そのため、鍋の左右に取手の受け板を備え、挟みながら持ち上げることのできるＸ型の取手を受け板で受けることにより、持ち運ぶものである。Ｘ型の取手は、鍋の受け板を受ける部分に凹部を設けることで、鍋を安定して持ち上げ、取手から鍋が落下することも防止することができる。又、取手の形状をＸ型にすることにより、挟みながら持ち上げることができる。Ｘ型の取手の中心近くにあるクロスピンから持ち手側の部分を、鍋側の部分より長くすることにより、重い物でも持ち上げやすくしている。又、高温の火中から持ち手が離れることにより、火傷のリスクが低減されるものである。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】  本考案のＸ型取手つき窯内用鍋は、窯の中や薪ストーブの中や野外の炭火の中に直接投入し、食品を炊き上げることのできる鍋で、投入及び取出しの時に取付け取外しが簡単にできるＸ型の取手をつけて使用するものであって、高温の火中に直接手を入れることがなくなるため、火傷の防止を可能にすることで、課題の解決しようとするものである。
【課題を解決するための手段】
【０００６】  本考案のＸ型取手つき窯内用鍋は、窯の中や薪ストーブの中や野外の炭火の中に直接投入し、食品を炊き上げることのできるものであって、取手の受け板を鍋の左右に備え、Ｘ型取手の凹部に取手の受け板をのせて持ち運ぶことにより、投入及び取出しの時に高温の火中に直接手を入れることがなくなり、火傷の防止を可能にし課題を解決することができる。【０００７】  本考案のＸ型取手つき窯内用鍋は、窯の中や薪ストーブの中や野外の炭火の中に投入又は取出しの時に、鍋の左右にある取手の受け板をＸ型取手の凹部にのせて、挟みながら持ち運ぶものである。取付け取外しが簡単にできるＸ型の取手は、持ち運びの時にのみ使用するので、取手の過熱がおこらないため、火傷の防止を可能にし、課題を解決している。
【考案の効果】
【０００８】  本考案のＸ型取手つき窯内用鍋を利用することにより、窯の中や薪ストーブの中や野外の炭火の中で食品を炊き上げる時に、高温になった鍋に直接手を触れることがなくなり、又火中に直接手を入れることもなくなるため、火傷の防止が可能になり、安全に鍋の利用ができることに役立つものである。
【図面の簡単な説明】
【０００９】
【図１】本考案のＸ型取手つき窯内用鍋の上面図である。
【図２】図１のＤから見た図である。
【図３】図１のＥから見た図である。
【図４】Ｘ型取手の上面図である。
【図５】図４のＪから見た図である。
【図６】図４のＫから見た図である。
【考案を実施するための形態】
【００１０】  本考案のＸ型取手つき窯内用鍋の中に食品を入れ鍋蓋をして、Ｘ型取手のＨの凹部に鍋のＦの受け板をのせて、Ｃの持ち手を持ち挟みながら持ち上げ、窯の中や薪ストーブの中や野外の炭火の中に投入する。鍋を安置したら、Ｘ型取手を少し下げて鍋から取り外す。鍋を取り出す時は、窯の中や薪ストーブの中や野外の炭火の中にある鍋の受け板の少し下にＸ型取手を差し込み、上にあげてＨの凹部に鍋のＦの受け板をのせて持ち上げ、取り出す。鍋を運び、テーブル等の上に置いたら、Ｘ型取手を少し下げ鍋から取り外す。
【実施例】
【００１１】  本考案のＸ型取手つき窯内用鍋の中に食品を入れ鍋蓋をして、Ｘ型取手のＨの凹部に鍋のＦの受け板をのせて、Ｃの持ち手を持ち挟みながら持ち上げ、窯の中や薪ストーブの中や野外の炭火の中に投入する。鍋を安置したら、Ｘ型取手を少し下げて鍋から取り出す。鍋を取り出す時は、窯の中や薪ストーブの中や野外の炭火の中にある鍋の受け板の少し下にＸ型取手を差し込み、上にあげてＨの凹部に鍋のＦの受け板をのせて持ち上げ、取り出す。鍋を運び、テーブル等の上に置いたら、Ｘ型取手を少し下げ鍋から取り出す。
【産業上の利用可能性】
【００１２】
【符号の説明】
【００１３】Ａ  Ｘ型取手
Ｂ  Ｘ型取手のクロスピン
Ｃ  Ｘ型取手の持ち手部
Ｄ  Ｘ型取手つき窯内用鍋の右側面
Ｅ  Ｘ型取手つき窯内用鍋の左側面
Ｆ  Ｘ型取手の受け板
Ｇ  鍋の蓋部
Ｈ  Ｘ型取手の受け板のせ用凹部
Ｊ  Ｘ型取手の右側面
Ｋ  Ｘ型取手の左側面
【図１】
0003184638.tif 000003
【図２】
0003184638.tif 000004
【図３】
0003184638.tif 000005
【図４】
0003184638.tif 000006
【図５】
0003184638.tif 000007
【図６】
0003184638.tif 000008
【手続補正書】
【提出日】平成25年4月15日(2013.4.15)
【手続補正１】
【補正対象書類名】実用新案登録請求の範囲
【補正対象項目名】全文
【補正方法】変更
【補正の内容】
【実用新案登録請求の範囲】
【請求項１】
鍋の左右に設けられた受け板と、鍋を挟むためのＸ型取手とを備えるＸ型取手つき窯内用鍋において、前記Ｘ型取手の先端部が前記受け板をのせる部位であることを特徴とするＸ型取手つき窯内用鍋
【請求項２】
前記受け板をのせる部位が、前記受け板をのせるための凹部であることを特徴とする請求項１記載のＸ型取手つき窯内用鍋
(57)【要約】      （修正有）【課題】一般家庭の部屋や庭、及び幼稚園、老人ホームなどの屋内各種施設において、一人でも複数人でも手軽に楽しめるスリッパ式バスケットボール遊具を提供する。【解決手段】スリッパの甲の部分にゴルフボールからテニスボール程度のサイズのボールが収まる大きさの穴２を空けた後、その穴に比較的軽いカラーボール等を置く。一方で、バスケットボールを投げ入れる網付きの移動可能なバスケット網付きの箱を作って近くに置く。利用者は当該スリッパを片足に履いて、バスケット網をめがけて投げ入れる。カラーボールは誰のボールか判別できるように赤色、白色のように分けて、網に投入された個数で勝敗を判別する。【選択図】図１
0003184635.tif 000002
【実用新案登録請求の範囲】
【請求項１】
スリッパ（１）の上蓋に穴（２）を空けて、さらに穴の周囲輪郭に沿っては強度を保ち、且つ装飾用の樹脂（３）を接着し、ボール（４）を置くこことを特徴とするスリッパの構造。
【請求項２】
ボール（４）を受け入れるためのバスケット網の台座（５）の内側にバスケット網（６）を設置したスリッパ式バスケットボール遊具セットの構造。
【考案の詳細な説明】
【技術分野】
【０００１】  本考案は一般家庭の部屋、庭、オフイスの一角などの広さのスペースにおいて一人でも、複数人でも手軽に楽しめる新しいフットバスケットボールに関する考案である。
軽くて簡便な家庭用スリッパを使用しているため、子供から老人迄を対象としたバスケットボール遊具セットである。
【背景技術】
【０００２】  まず、当該ゲーム参加者各自が家庭や、オフイスなどで使用するスリッパ、あるいはサンダルの上蓋部分に使用するボール、カラーボール、あるいはミニチュアの玩具バスケットボールでも良く、それらを、スリッパ上部に適度な大きさで空けた穴に置く。さらに穴の周辺には、軽い衝撃でバスケットボールが簡単に落下しないようにアクリルやフェルトなどの軽い素材で飾り縁をり付けても良い。
一方で、当該ボールが投げ入れられたときに受け入れるために、バスケット網籠を吊り下げるための台座にセットする。
以上によって、当該考案の実施に必要な、穴あきスリッパとバスケットゲーム用の網籠の１セットが揃うことで当該考案の製品の完成となる。
【考案の概要】
【考案が解決しようとする課題】
【０００３】  本考案によって、スリッパの上蓋に空けた穴にボールをセットして後、一人及び複数人が、バスケット籠を目指して足をあげて籠への投入を試みる仕である。
したがって本考案によれば幼児から、運動不足の児童や、外出頻度の少ない高齢者に至るまで運動機能の増大につながるため、簡便に健康増進が期待できる。
【課題を解決するための手段】
【０００４】  本考案に参加する人が各自の当該スリッパにボールの甲にの穴に載せた後、床に置いた当該バスケット籠に順番に足をあげてボールを投入する。
【考案の効果】
【０００５】本考案は雨天、好天に関係なく自宅や、職場、各種施設の屋内、及び畳一枚程度の狭いスペースでプレイが出来る、さらに本人一人だけでも、複数の場合は競技式にしても、音も静かにプレイが可能である。さらに、設置にあたっても工事不要で、いつでも、どこへでも、この遊具を置くだけで楽しめる。
【考案を実施するための形態】
【０００６】当該籠へ一人のボールが入った数で得点として計上される。本考案では一つのバスケット籠をめぐって同時に二人でも、三人でも参加出来るため競技としても娯楽としても役に立つものである。
【図面の簡単な説明】
【図１】スリッパの片方に穴を空けたスリッパ
【図２】穴の上にボールを置いたスリッパ
【図３】ボールを受けるバスケット台座と網
【符号の説明】
【０００７】１‥‥‥上蓋に穴を空けたスリッパ
２‥‥‥穴
３‥‥‥装飾用の樹脂
４‥‥‥穴２に置いたボール
５‥‥‥バスケット網の台座
６‥‥‥台座５に装着したバスケット網
７‥‥‥バスケット網５に投入されたボール４
【図１】
0003184635.tif 000003
【図２】
0003184635.tif 000004
【図３】
0003184635.tif 000005
【手続補正書】
【提出日】平成25年4月18日(2013.4.18)
【手続補正１】
【補正対象書類名】実用新案登録請求の範囲
【補正対象項目名】請求項２
【補正方法】変更
【補正の内容】
【請求項２】
請求項１に記載されたスリッパと、前記ボール（４）を受け入れるためのバスケット網（６）を内側に設置した台座（５）と、からなることを特徴とするスリッパ式バスケットボール遊具セット。
(57)【要約】      （修正有）【課題】ファッション性及び新規性に富んで、拡販にも資する帽子を提供する。【解決手段】帽子、おもに野球帽子、及びつば広帽子の正面、側面、背面のどこかの位置に穴を空ける。穴の形は、トランプのダイヤ、スペード形、円形、楕円形、星の形、林檎やバナナの平面図の形、企業のロゴマーク形などくり抜く。商用としては企業のロゴマークやキャラクターもビジネス的効果にも及ぶ。穴には任意の色のカラーフイルムを取り付ければ中の髪がフイルム２を通して見える。フイルム２を張らないで使用する場合においては、当該穴から髪を外へ飛び出させれば、まったく新しいファッションが提供される。【選択図】図１
0003184634.tif 000002
【実用新案登録請求の範囲】
【請求項１】
帽子（１）に穴を空けて、フイルム（２）を張り付ける。さらに穴（１）の周囲にの輪郭には装飾用の樹脂（３）を張り付ける事を特徴とする帽子の構造。
【請求項２】
つば広帽子（４）の背面に穴（５）を空けて、髪（６）を外部に出せるようにしたつば広帽子の構造。
【請求項３】
穴の形状については、トランプにおけるスペード型、菱形、円形、三角形、正方形、魚や、果物の輪郭形、及び団体、企業のロゴマークの形状も特徴とする構造の帽子及びつば広帽子。
【考案の詳細な説明】
【技術分野】
【０００１】  本考案は野球帽子、麦わら帽子などの帽子の正面あるいは側面、さらに後面にハート型やスペード型、あるいは動物の輪郭型、果物の型などの型の穴を開ける。それらの穴の縁には糸かがり、フェルト材、、アクリルやプラステイック材料、金粒、銀粒で穴の縁飾りとして装飾して成り、そうして着用するという新しいファッションを楽しめる帽子の構造に係る。
ファッション性及び新規性に富んで拡販にも資するものあり、野球帽子ほか鍔広帽子、ジョッキー帽子なども考案の対象とする。
【背景技術】
【０００２】  従来から人々が着用する帽子には通風用の鳩目穴が複数開いているものはあった。
本考案によれば帽子正面にハート型などのいろんな型の穴を開け、それらの型の穴からは着用者の髪を外へ出すことによって新しい髪のファッションも提供できる。各種の穴の型に沿って縁どるアクリルなどのプラステイック素材には着色もして装飾すればファッション性はさらに増す。
【考案の概要】
【考案が解決しようとする課題】
【０００３】  よって、本考案によって帽子の正面に開けたハート型穴に沿って、例えばハート型の構造の縁に装飾パーツ類をプラステイック金属類などであしらうことにより新しい帽子の構造を演出できることで、これまでに無い新規性の構造の帽子を楽しめる。さらにそれらにより帽子業界の購買・流通効果をもたらすものである。
当該穴には、通気を防ぎ、且つ、色彩装飾的はばを広げるために、各色のカラーフイルムを取り付けるのも良い。
【課題を解決するための手段】
【０００４】  本考案は帽子の正面、側面、裏面の任意の位置にハート型などの穴を開ける。
次に当該穴を塞ぐように、その円周に沿って透明や不透明のフイルムを貼りつけ縁取って飾る。
さらに穴の周囲を着色や無着色のアクリルなど各種素材で囲んだ上で帽子に接着させて完成する。
あるいは穴は塞がないで空いたままでもよい。その場合は、当該帽子の着用者の髪を外に出して見せて、楽しむることができる。
【考案の効果】
【０００５】  本考案は各種帽子に新しい装飾が備わるため、帽子の新しいデザイン効果及びファッション効果を実現出来る特色をもってすれば販売増大という経済効果にも資すると言える。
【考案を実施するための形態】
【０００６】  以下、本考案の穴をあけてその縁周りを装飾する帽子の構造をその最適な実施形態について、図面に示す実施例に基づいて具体的な説明をする。
【０００７】図１は本考案の実施例を示すものであり、帽子の前面にハート型の穴を開けて後、その周囲を穴の型に沿って透明アクリルを接着して完成させた図である。
【図面の簡単な説明】
【図１】本願考案の帽子１の前面に、ハート型穴２を空けて、その穴に不透明フイルム３を張る。その後、接着によりハートの縁に縁取り樹脂４を装着した正面図である。
【図２】つば広帽子５の後ろ面に本願考案のハート型の穴６を空けて、のち、ポニーテール髪７を外側へ出せることを特徴とするつば広帽子の構造。
【符号の説明】
【０００８】１・・・・・・・・・・帽子の前面
２・・・・・・・・・・帽子の前面のハート型の穴に張ったフイルム
３・・・・・・・・・・縁取り樹脂
４・・・・・・・・・・つば広帽子の背面
５・・・・・・・・・・つば広帽子の背面の縁取りの無いハート型の穴
６・・・・・・・・・・つば広帽子の背面のハート型の穴から外に出た髪
【図１】
0003184634.tif 000003
【図２】
0003184634.tif 000004
【手続補正書】
【提出日】平成25年4月18日(2013.4.18)
【手続補正１】
【補正対象書類名】実用新案登録請求の範囲
【補正対象項目名】請求項３
【補正方法】変更
【補正の内容】
【請求項３】
前記穴の形状は、トランプにおけるスペード形、菱形、円形、三角形、正方形、魚の輪郭形、果物の輪郭形、団体のロゴマーク、企業のロゴマークの形状のいずれかであることを特徴とする請求項１に記載の帽子、又は請求項２に記載のつば広帽子。
(57)【要約】      （修正有）【課題】ウキ本体の破損を防止し、またウキ仕掛けサイズに対応した収納形態を有し、さらにウキ仕掛け作成時の効率向上を図ったウキ収納スポンジ内蔵ケースを提供する。【解決手段】スリット加工２を施したスポンジ本体１を、既存の収納ケースに取り付ける事で、多数収納するウキ本体の接触を防ぎ、ウキ本体の破損防止を図る。又、仕掛けサイズに応じ収納を可能とする事で、仕掛け作りの効率化を向上する。【選択図】図１
0003184631.tif 000002
【実用新案登録請求の範囲】
【請求項１】
既存の収納ケース内側に、スリット加工を施したスポンジを取り付けられる形状であり、スリット内にウキ本体を収納可能とした、ウキ収納スポンジケース。
【請求項２】
前記ウキサイズに応じ、スリット幅を選択できる事を特徴としたウキ収納スポンジケース。
【考案の詳細な説明】
【技術分野】
【０００１】本考案は、釣り用道具の収納に関するもので、既存商品のウキ収納ケース内に、スリット入りスポンジを用いる事で、ウキ釣りセットの収納を容易にし、また、ウキ本体の劣化を改善するものである。
【背景技術】
【０００２】釣り用ウキ、それに付随する水中ウキやウキ止め治具等があり、これは各サイズに合わせ仕掛けを作成している。既存のケースでは、ランダムに収納されている為、ウキ同志が接触し合いウキ本体が破損したり、ウキ本体に傷が入りウキの印字が消え、サイズが分からなくなる。また、仕掛けサイズに合わせて収納できるケースは無く、仕掛けを作る際に時間が要してしまう。
【考案が解決しようとする課題】
【０００３】ウキ、水中ウキ本体の破損防止。
ウキサイズに合わせた収納簡易化。
ウキ仕掛け作成時の効率向上。
【課題を解決するための手段】
【０００４】スリット加工を施したウキ収納スポンジを、既存の収納ケースに取り付ける事で、多数収納するウキ本体の接触を防ぎ、ウキ本体の破損防止を図る。
又、仕掛けサイズに応じ収納を可能とする事で、仕掛け作りの効率化を向上する。
【考案の効果】
【０００５】ウキ収納ケース内側に、スリット加工を施したスポンジを装着し、ウキ釣り仕掛けサイズに応じ収納させる事で仕掛け作成が容易となる。
また、ウキ本体がスポンジ内に収納されることで、ウキどうしの接触を防ぎ破損防止を可能とする。
【図面の簡単な説明】
【０００６】
【図１】ウキ収納スポンジケースの上面、断面図である。
【図２】ウキ収納スポンジケースの使用例の図である。
【考案を実施するための形態】
【０００７】ウキ収納スポンジケースの使用方法例を図２に示す。
ウキ収納スポンジケースを、既存のケース内に取り付ける。
【符号の説明】（１）スポンジ本体
（２）スリット加工部
【図１】
0003184631.tif 000003
【図２】
0003184631.tif 000004
【手続補正書】
【提出日】平成25年4月10日(2013.4.10)
【手続補正１】
【補正対象書類名】実用新案登録請求の範囲
【補正対象項目名】全文
【補正方法】変更
【補正の内容】
【実用新案登録請求の範囲】
【請求項１】
スリット内にウキ本体を収納可能としたスリット加工を施したスポンジを、収納ケース内側に取り付けたことを特徴とするウキ収納スポンジ内臓ケース。
【請求項２】
前記ウキ本体のサイズに応じて、前記スポンジに複数のスリット幅を有することを特徴とする請求項１に記載のウキ収納スポンジ内臓ケース。
【手続補正３】
【補正対象書類名】明細書
【補正対象項目名】全文
【補正方法】変更
【補正の内容】
【考案の詳細な説明】
【技術分野】
【０００１】本考案は、釣り用道具の収納に関するもので、既存商品のウキ収納ケース内に、スリット入りスポンジを用いる事で、ウキ釣りセットの収納を容易にし、また、ウキ本体の劣化を改善するものである。
【背景技術】
【０００２】釣り用ウキ、それに付随する水中ウキやウキ止め治具等があり、これは各サイズに合わせ仕掛けを作成している。既存のケースでは、ランダムに収納されている為、ウキ同志が接触し合いウキ本体が破損したり、ウキ本体に傷が入りウキの印字が消え、サイズが分からなくなる。また、仕掛けサイズに合わせて収納できるケースは無く、仕掛けを作る際に時間が要してしまう。
【考案が解決しようとする課題】
【０００３】ウキ、水中ウキ本体の破損防止。
ウキサイズに合わせた収納簡易化。
ウキ仕掛け作成時の効率向上。
【課題を解決するための手段】
【０００４】スリット加工を施したウキ収納スポンジを、既存の収納ケースに取り付ける事で、多数収納するウキ本体の接触を防ぎ、ウキ本体の破損防止を図る。
又、仕掛けサイズに応じ収納を可能とする事で、仕掛け作りの効率化を向上する。
【考案の効果】
【０００５】ウキ収納ケース内側に、スリット加工を施したスポンジを装着し、ウキ釣り仕掛けサイズに応じ収納させる事で仕掛け作成が容易となる。
また、ウキ本体がスポンジ内に収納されることで、ウキどうしの接触を防ぎ破損防止を可能とする。
【図面の簡単な説明】
【０００６】
【図１】ウキ収納スポンジ内臓ケースの上面、断面図である。
【図２】ウキ収納スポンジ内臓ケースの使用例の図である。
【考案を実施するための形態】
【０００７】ウキ収納スポンジ内臓ケースの使用方法例を図２に示す。
ウキ収納スポンジを、既存のケース内に取り付ける。
【符号の説明】（１）スポンジ本体
（２）スリット加工部
(57)【要約】      （修正有） 【課題】洗浄の際の怪我や餌が飼育ケージの蓋の上に流出散乱するのを防ぐ、スリット（切込）の付いたシンプルな１枚ものの着脱可能な仕切り板を提供する。【解決手段】仕切り板に洗浄の際の怪我の原因や変形・破損・欠損して餌が流出散乱しやすい装着用の金属パーツの突起や溶接などを採用せず、装着用のスリット（切込）を加工したシンプルな１枚ものの仕切り板にし、飼育ケージに装着の際には装着箇所に本スリットを上方から差し込み仕切り板自体を下方に回転させることによりロックがかかり外れにくく、またこれを外す際も単純に逆回転させるだけの簡単な操作で脱着を可能にした外しやすく外れにくいシステムで、洗浄の際の怪我防止や飼育者に課せられる作業の軽減や感染症等の予防対策にも役立つ。【選択図】図２
0003184694.tif 000002
【実用新案登録請求の範囲】
【請求項１】
仕切り板にスリット（切込）を設け、飼育ケージに装着の際装着箇所に本スリットを上方から差し込み仕切り板自体を下方に回転させることによりロックがかかり外れにくく、またこれを外す際も逆回転して外しやすくしたところを特徴とする脱着簡単な仕切り板
【考案の詳細な説明】
【技術分野】
【０００１】
本考案は、実験用マウス等の飼育ケージへ装着するためのスリット（切込）を設けた餌の仕切り板に関するものである。
【背景技術】
【０００２】
従来の仕切り板は飼育ケージへ装着するための金属パーツが溶接で施され（図１）脱着の際にこの金属パーツが変形・破損・欠損しやすく、装着後も大変外れやすく、飼育者は毎日のようにこの仕切り板を設置し直して流出散乱した餌を元に戻す作業をしていた。
【先行技術文献】
【特許文献】
【０００３】
【特許文献１】特許公開平０５−０３１１３１号
【非特許文献】
【０００４】
【非特許文献１】「マウス・ラット実験ノート」羊土社
【考案の概要】
【考案が解決しようとする課題】
【０００５】
従来の仕切り板は溶接による装着用金属パーツの突起があり、洗浄の際にその突起物で怪我をする恐れがある。また、飼育ケージへの脱着の際その装着用金属パーツの部分が変形・破損・欠損しやすく、装着に遊びが多いため毎日のように仕切り板が外れ餌が流出散乱し、これらを元に戻す作業も飼育者に課せられる。その際、飼育者は他のケージや餌等にも接触しているので、これらからの感染症等の危険も考えられます。
【課題を解決するための手段】
【０００６】
本考案は、装着用金属パーツの突起や溶接などを採用せず１枚の板にスリット（切込）をいれて装着方法及び設置箇所を変え、脱着簡単で外しやすく外れにくい、変形・破損・欠損しにくく洗浄も簡単な１枚板のシステムで解決しようとするものである。
【考案の効果】
【０００７】
上述の様に、本考案の仕切り板は装着システムにシンプルなスリット（切込）を採用することにより、洗浄の際の怪我や仕切り板の遊び・外れ等で起こる飼育者に課せられる作業の軽減や感染症等の予防対策にも役立つものである。
【図面の簡単な説明】
【０００８】
【図１】従来型の仕切り板の装着図
【図２】本考案の脱着簡単仕切り板の装着図
【図３】本考案の脱着簡単仕切り板の正面図
【図１】
0003184694.tif 000003
【図２】
0003184694.tif 000004
【図３】
0003184694.tif 000005
(57)【要約】      （修正有） 【課題】安全で施工作業効率が高くエネルギー消費の少ない圧力締付けパイプ連結装置を提供する。【解決手段】一つの密閉スリーブ１と二つの密閉リング２−１，２−２からなり、密閉スリーブの両端の外周面は中心対称な二段階の段差状であり、密閉スリーブの外周面の中部の環状部分は環状の凹溝構造であり、二つの密閉リングはそれぞれ密閉スリーブの両端に嵌装し、前記密閉リングの内周面は一段の段差状である。密閉スリーブの両端の内壁は、順次、第一シールリング７と第二シールリング６を有し、第二シールリングの位置に対応する密閉スリーブの外壁は環状の突起５を有する。【選択図】図１
0003184658.tif 000002
【実用新案登録請求の範囲】
【請求項１】
圧力締付けパイプ連結装置であって、一つの密閉スリーブと二つの密閉リングからなり、密閉スリーブの両端の外周面は中心対称な二段階の段差状であり、密閉スリーブの外周面の中部の環状部分は環状の凹溝構造であり、二つの密閉リングはそれぞれ密閉スリーブの両端に嵌装し、前記密閉リングの内周面は一段の段差状であり、密閉スリーブの両端の内壁は、順次、第一シールリングと第二シールリングを有し、第二シールリングの位置に対応する密閉スリーブの外壁は環状の突起を有することを特徴とする圧力締付けパイプ連結装置。
【考案の詳細な説明】
【技術分野】
【０００１】
本考案はパイプ連結分野に関し、さらに具体的には、圧力締付けによって実現するパイプ連結装置に関する。
【背景技術】
【０００２】
パイプ連結は一般的に溶接などの伝統プロセスが使用される。従来のプロセスは工程が多く、要求が厳しい。特殊な材質のパイプ連結は、特殊な設備及び補助材料を使用しなければならず、施工作業の効率が低く、エネルギー消費が高く、汚染排出が大きく、危険性が高く、健康を損ないやすい等の事情があり、現在の社会発展の各種要求、特に、国際社会がますます注目している人体の安全や人類の生存環境及び、エネルギー消費の減少という要求に適合していない。
【先行技術文献】
【特許文献】
【０００３】
なし
【非特許文献】
【０００４】
なし
【考案の概要】
【考案が解決しようとする課題】
【０００５】
本考案が解決しようとする技術課題は、従来技術に存在する欠点を克服した、圧力締付けパイプ連結装置を提供することである。
【課題を解決するための手段】
【０００６】
本考案に係る圧力締付けパイプ連結装置は、以下の技術方案によって実現される。本装置は一つの密閉スリーブと二つの密閉リングからなり、密閉スリーブの両端の外周面は中心対称な二段階の段差状であり、密閉スリーブの外周面の中部の環状部分は環状の凹溝構造であり、二つの密閉リングはそれぞれ密閉スリーブの両端に嵌装し、前記密閉リングの内周面は一段の段差状である。密閉スリーブの両端の内壁は、順次、第一シールリングと第二シールリングを有する。第二シールリングの位置に対応する密閉スリーブの外壁は環状の突起を有する。
【０００７】
本考案の装置の構造は、ＳＷＡＧＥ類型に属する圧力締付けを通して、パイプを一体に連結するパイプ連結装置である。
【考案の効果】
【０００８】
本考案に係る圧力締付けパイプ連結装置は、以下の技術効果を有する。
１．各種工業、民間、建築工程の各種の外径規格と各種材質のパイプ及び各種媒質を輸送するパイプの連結に適用する（鋳鉄の材質を除く）。
２．装置の構造及びその連結部分の物理的、化学的、力学的性能及び密閉、耐圧基準などの要求は、連結されたパイプ業界又は企業の技術要求に適合している。
３．取付施工前に、パイプ及びその連結部分にプロセス加工や各種処理を行う必要がない。取付施工後、パイプ及びその連結部分に如何なる方式の加工、検査及び処理をも行う必要がない。システムパイプの連結が全て完成した後、統一的に圧力テスト検査を行うことのみ必要である。
４．取付施工において、軽量で使用が容易な専用油圧工具を使用し、操作が簡単で早く、作業効率が高く、その環境、条件の制限や制約を受けず、作業員にも特殊な要求がなく、他の設備やエネルギーを使用せず、如何なる汚染や危険性及び人体に対する健康損害もない。
【図面の簡単な説明】
【０００９】
【図１】本考案の構造簡略図である。
【考案を実施するための形態】
【００１０】
次に、附図を併せて本実用新案をさらに説明する。図1に示すように、本装置は、一つの密閉スリーブ１と、密閉リング２−１と、密閉リング２−２からなり、密閉スリーブ１の両端の外周面は中心対称な二段階の段差状であり、密閉スリーブの外周面の中部の環状部分は環状の凹溝構造であり、二つの密閉リングはそれぞれ密閉スリーブの両端に嵌装し、前記密閉リングの内周面は一段の段差状である。密閉スリーブの両端の内壁は、順次、第一シールリング７と第二シールリング６を有する。第二シールリングの位置に対応する密閉スリーブの外壁は環状の突起５を有する。
【００１１】
連結されたパイプ３−１、３−２は両端から密閉スリーブに入り、スリーブの中部のストップ点４と当接し、かつ一定の連結距離を保持する。連結する際、密閉リングの外表面に加圧機構を設置し、油圧工具からこの機構に外力を加え、軸方向の加力押圧によって、密閉リングは軸方向へ運動し、かつ縮小変形する。これにより、スリーブの環状の突起５を押圧するため、スリーブの第一シールリング７と第二シールリング６が受圧して、連結されたパイプの外表面を押圧して縮小変形し、パイプの密閉及び堅固な連結を実現する。
【００１２】
上記実施例は、本考案の好ましい実施形態を説明しただけであり、本考案の構想や範囲を限定せず、本考案の設計主旨を逸脱しない前提下で、本領域の普通の技術者が本考案の技術方案に対して行う各種変形及び改善は、全て本実用新案の保護範囲内にある。
【符号の説明】
【００１３】
１  密閉スリーブ
２-１  密閉リング
２-２  密閉リング
３-１  パイプ
３-２  パイプ
４  ストップ点
５  突起
６  第二シールシング
７  第一シールシング
【図１】
0003184658.tif 000003
(57)【要約】      （修正有）【課題】書類を綴じている針を除去する事のできる事務用シームリッパーを提供する。【解決手段】先端に、封筒の上部を切断する刃先を設けたシームリッパー本体２の後部に軸体３を設け、軸体の先端部に、書類を綴じている針を除去する除針部４を形設してなることを特徴とする。刃先は、封筒の上部を切断し、開封するもので、スライドさせるだけで簡単・容易に切断ができ、また、除針部により、書類等を綴じている針を簡単・容易に除去できる。【選択図】図１
0003184659.tif 000002
【実用新案登録請求の範囲】
【請求項１】
先端に、封筒の上部を切断する刃先を設けたシームリッパー本体の後部に軸体を設け、該軸体の先端部に、書類を綴じている針を除去する除針部を形設してなることを特徴とする事務用シームリッパー。
【請求項２】
除針部が、尖端円弧状に形成してなることを特徴とする請求項１記載の事務用シームリッパー。
【請求項３】
除針部が、前面をフラット状に、後面先端を円弧状に形成してなることを特徴とする請求項１又は２記載の事務用シームリッパー。
【考案の詳細な説明】
【技術分野】
【０００１】  本考案は、主に封筒の開封や書類を綴じている針を除去することのできる事務用シームリッパーに関するものである。
【背景技術】
【０００２】  従来の技術としては、同様なものはないが、本出願人が以前出願した中心より折り曲げるべく、上下対称に形成したシームリッパー本体の先端部に切刃を挟持して固定してなるものがある。（特許文献１参照）
【先行技術文献】
【特許文献】
【０００３】
【特許文献１】  特開２０１２−５８００号公報
【考案の概要】
【考案が解決しようとする課題】
【０００４】  上記従来技術は、切刃に特徴を持ったものであり、本考案のように、特に書類を綴じている針を除去するものではない。【０００５】  本考案は、針を除去する除針部を設けることにより、特に事務所等において有効に使用できる事務用シームリッパーを提供することを目的とする。
【課題を解決するための手段】
【０００６】  本考案は、上記目的を達成するため、先端に、封筒の上部を切断する刃先を設けたシームリッパー本体の後部に軸体を設け、該軸体の先端部に、書類を綴じている針を除去する除針部を形設してなること。除針部が、尖端円弧状に形成してなること。除針部が、前面をフラット状に、後面先端を円弧状に形成してなることを特徴とする。
【考案の効果】
【０００７】１）、刃先は、封筒の上部を切断し、開封するもので、スライドさせるだけで簡単・容易      にできる。
２）、除針部により、書類等を綴じている針を簡単・容易に除去できる。
３）、除針部の前面と後面の形状を変えることにより、針の形状や書類の材質等により選      択して使用できる。
【図面の簡単な説明】
【０００８】
【図１】  本考案の一実施例を示す事務用シームリッパーの正面図。
【図２】  本考案の一実施例を示す事務用シームリッパーの平面図。
【図３】  本考案の一実施例を示す事務用シームリッパーの開封時の使用状態図。
【図４】  本考案の一実施例を示す事務用シームリッパーの針除去の一例使用状態図。
【図５】  本考案の一実施例を示す事務用シームリッパーの針除去の他例使用状態図。
【考案の実施するための形態】
【０００９】  １は、事務用シームリッパーである。
２は、金属製等による封筒上部を切断すべく下部に案内片２ａ１を、上部に支持片２ａ２を、中央に刃２ａ３を設けたシームリッパー本体である。
３は、シームリッパー本体２に一体的に取り付けてなる軸体で、先端部に書類等を綴じている針を除去する尖端円弧状４ａに形成し、前面をフラット状４ｂに、後面先端を円弧状４ｃに形成してなる除針部４を形設してある。（図１・図２）
【００１０】  上記事務用シームリッパー１の使用例について述べる。
まず、封筒Ｆの開封について説明する。
封筒Ｆの封印部Ｆ１の端部より事務用シームリッパー１の案内片２ａ１を挿入し、支持片２ａ２を見ながら前方へ軸体３を握って水平方向に押すことにより刃２ａ３にて封印部Ｆ１をカットできるものである。
【００１１】    つぎに、除針部４の円弧状４ｃの使用例について説明する。
書類Ｓ等を綴じている針Ｈ（コの字形）の上部隙間ＳＭに除針部４の円弧状４ｃを上にして差し込み、前方へ押し込む（時々、軸体３を上方に上げる）ことにより針Ｈを上方に押し上げることにより取り外すことができる。
【００１２】  除針部４のフラット状４ｂの使用例について説明する。
書類Ｓ１等を綴じている針Ｈ１（コの字形）の上部隙間ＳＭ１に除針部４のフラット状４ｂを上にして差し込み、前方へ押し込む（時々、軸体３を下方に下げる）ことにより針Ｈ１を上方に押し上げることにより取り外すことができる。
【００１３】  上記実施例において、材質や大きさ等、必要に応じて決めればよい。
また、刃先はペーパーナイフとしても使用でき、色々応用できるものである。
【符号の説明】
【００１４】  １−−−事務用シームリッパー
２−−−シームリッパー本体
３−−−軸体
４−−−除針部
Ｈ−−−針
Ｓ−−−書類
【図１】
0003184659.tif 000003
【図２】
0003184659.tif 000004
【図３】
0003184659.tif 000005
【図４】
0003184659.tif 000006
【図５】
0003184659.tif 000007
(57)【要約】      （修正有）【課題】コンクリート構造物の壁面に、直に設置することのできる足場クランプを提供する。【解決手段】コンクリート構造物の壁面に、直に設置することのできる足場クランプは、鋼製単菅を結合するための鋼管クランプ１と、壁面に取り付けするための取付金具２とから構成される。鋼管クランプ１底面に取付金具２を溶接して一体を成し、取付金具２は両端が開口した筒状の鋼管パイプであって、鋼管クランプ１底面に横設され、鋼管パイプ内を貫通する全ネジボルト３とこれに契合するナット４と座金５とを備え、全ネジボルト３の一端を壁面に設けた打ち込みアンカー又は接着系アンカーと連結して固定し、他端をナット４で締め付け、壁面に係止して固定し設置する。【選択図】図１
0003184672.tif 000002
【実用新案登録請求の範囲】
【請求項１】
コンクリート構造物の壁面に、直に設置することのできる足場クランプは、鋼製単菅を結合するための鋼管クランプと、壁面に取り付けするための取付金具とから構成され、該鋼管クランプ底面に該取付金具を溶接して一体を成し、該取付金具は両端が開口した筒状の鋼管パイプであって、該鋼管クランプ底面に横設され、該鋼管パイプ内を貫通する全ネジボルトとこれに契合するナットと座金とを備え、該全ネジボルトの一端を壁面に設けた打ち込みアンカー又は接着系アンカーと連結して固定し、他端をナット４で締め付けて、壁面に係止して固定し設置することができることを特徴とする足場クランプ。
【考案の詳細な説明】
【技術分野】
【０００１】  本考案は、建設現場等の仮設足場を組立てるパイプ等を連結固定する足場クランプに関する。
【背景技術】
【０００２】  従来より、足場クランプに於いては、建設現場等の仮設足場工事に伴う鋼製単菅等の結合や足場板の設置などの用途に応じた様々な形状の仮設用クランプが市販されている。
【考案の概要】
【考案が解決しようとする課題】
【０００３】  しかしながら、コンクリート構造物の壁面に直に設置することを専用とした仮設用クランプは無く、特にダムなど大型建造物に於ける壁面の改修工事等には、壁面上に仮設足場を設けることが容易ではないという問題点を有していた。【０００４】本考案は、上記従来有する問題点に鑑み、コンクリート構造物の壁面に、直に設置することのできる足場クランプを提供しようとするものである。
【課題を解決するための手段】
【０００５】  コンクリート構造物の壁面に、直に設置することのできる足場クランプは、鋼製単菅を結合するための鋼管クランプ１と、壁面に取り付けするための取付金具２とから構成され、該鋼管クランプ１底面に該取付金具２を溶接して一体を成し、該取付金具２は両端が開口した筒状の鋼管パイプであって、該鋼管クランプ１底面に横設され、該鋼管パイプ内を貫通する全ネジボルト３とこれに契合するナット４と座金５とを備え、該全ネジボルト３の一端を壁面に設けた打ち込みアンカー又は接着系アンカーと連結して固定し、他端をナット４で締め付け、壁面に係止して固定し設置することができることを特徴とした。
【考案の効果】
【０００６】  本考案によれば、コンクリート構造物の壁面の任意の場所に、直に足場クランプを設置することができ、余計な仮設工事を必要とせず、作業効率および作業の安全性の向上が期待できる。
【図面の簡単な説明】
【０００７】
【図１】  本考案に於ける足場クランプの平面図である。
【図２】  本考案に於ける足場クランプの構造を説明する分解図である。
【考案を実施するための形態】
【０００８】  以下、本考案の実施の形態について、図面を参照して説明する。
図１に示すように、コンクリート構造物の壁面に、直に設置することのできる足場クランプは、鋼製単菅を結合するための鋼管クランプ１と、壁面に取り付けするための取付金具２とから構成され、該鋼管クランプ１底面に該取付金具２を溶接して一体を成し、該取付金具２は両端が開口した筒状の鋼管パイプであって、該鋼管クランプ１底面に横設され、該鋼管パイプ内を貫通する全ネジボルト３とこれに契合するナット４と座金５とを備え、該全ネジボルト３の一端を壁面に設けた打ち込みアンカー又は接着系アンカーと連結して固定し、他端をナット４で締め付け、壁面に係止して固定し設置することができることを特徴とした。
【符号の説明】
【０００９】    １    鋼管クランプ
２    取付金具
３    全ネジボルト
４    ナット
５    座金
【図１】
0003184672.tif 000003
【図２】
0003184672.tif 000004
(57)【要約】      （修正有）【課題】高価なマッサージ器専用の送信機を使用しなくても、様々な振動パターンの設定が可能なマッサージ器をを提供する。【解決手段】マッサージ器の操作を携帯電話で動作するアプリケーションで提供する。マッサージ器本体１に振動モーター２とＷｉｆｉモジュール又はブルートゥースモジュール３が設置され、携帯電話４からのＷｉｆｉ又はブルートゥースの信号５を受信し、携帯電話４で動作するアプリケーション上のボタン６の操作に基づいて振動モーターに対応する振動を発生させる。【選択図】図１
0003184671.tif 000002
【実用新案登録請求の範囲】
【請求項１】
本体（１）に振動モーター（２）とＷｉｆｉモジュール又はブルートゥースモジュール（３）が設置され、Ｗｉｆｉモジュール又はブルートゥースモジュール（３）は携帯電話（４）に設置されたＷｉｆｉ又はブルートゥースの信号（５）を受信でき、携帯電話（４）で動作するアプリケーション上のボタン（６）の操作に基づいて振動モーター（２）に対応する振動を発生させることを特徴とするマッサージ器。
【請求項２】
携帯電話網とつながって通話、通信するもう一台の携帯電話（９）から携帯電話（４）を介して操作できる請求項１のマッサージ器。
【考案の詳細な説明】
【実用新案登録請求の範囲】
【請求項１】
本体（１）に振動モーター（２）とＷｉｆｉモジュール又はブルートゥースモジュール（３）が設置され、Ｗｉｆｉモジュール又はブルートゥースモジュール（３）は携帯電話（４）に設置されたＷｉｆｉ又はブルートゥースの信号（５）を受信でき、携帯電話（４）で動作するアプリケーション上のボタン（６）の操作に基づいて振動モーター（２）に対応する振動を発生させることを特徴とするマッサージ器。
【請求項２】
携帯電話網とつながって通話、通信するもう一台の携帯電話（９）から携帯電話（４）を介して操作できる請求項１のマッサージ器。
【考案の詳細な説明】
【産業上の利用分野】
【０００１】本考案は、携帯電話（４）に設置されたＷｉｆｉ又はブルートゥースの信号を受信してモーターを制御する技術に関するものである。
【背景技術】
【０００２】従来は、マッサージ器専用の送信機を用いて振動モーターを制御していた。
【考案が解決しようとする課題】
【０００３】これには次の欠点があった。
マッサージ器専用の高価な送信機を提供しなくてはならない。
マッサージ器専用送信機で様々な振動パターンを提供するには装置が複雑になる。
本考案は、以上の欠点を解決するためになされたものである。
【課題を解決するための手段】
【０００４】  本体（１）に振動モーター（２）とＷｉｆｉモジュール又はブルートゥースモジュール（３）が設置され、Ｗｉｆｉモジュール又はブルートゥースモジュール（３）は携帯電話（４）に設置されたＷｉｆｉ又はブルートゥースの信号（５）を受信でき、携帯電話（４）で動作するアプリケーション上のボタン（６）の操作に基づいて振動モーター（２）に対応する振動を発生させる。また、アプリケーションにより他の携帯電話（９）から携帯電話（４）を介して振動モーター（２）を制御することもできる。
【考案実施の形態】
【０００５】  以下、本考案の実施形態について説明する。
（イ）本体（１）振動モーター（２）とＷｉｆｉモジュール又はブルートゥースモジュール（３）を設ける。
（ロ）本体（１）に電池（７）を入れ、電池固定の電池カバー（８）を設ける。
本考案は、以上の構成よりなる携帯電話操作マッサージ器である。
本考案を使用するときは、電池（７）を入れ、電池固定の電池カバー（８）をしめてマッサージ器の電源を入れ携帯電話（４）からのＷｉｆｉ又はブルートゥースの信号（５）を受信待機する。携帯電話（４）で動作するアプリケーション上のボタン（６）によりＷｉｆｉ又はブルートゥースの信号（５）を送信し、Ｗｉｆｉモジュール又はブルートゥースモジュール（３）で受信して振動モーター（２）を制御する。
【０００６】  携帯電話（４）はアプリケーションによりさらに外部の携帯電話（９）につながり、携帯電話（９）から携帯電話（４）を介し、より遠くから振動モーター（２）の制御が可能になる。
【考案の効果】
【０００７】  以上のように、請求項１によると、マッサージ器の操作を携帯電話で動作するアプリケーションで提供することで、マッサージ器専用の送信機を提供しなくとも良い。また、マッサージ器の様々な振動パターンを携帯電話で動作するアプリケーション上で設定できる為、マッサージ器専用送信機で様々な振動パターンを提供するのに比べ安価で提供できる。さらに請求項２では、携帯電話（４）はアプリケーションによりさらに外部の携帯電話（９）につながり、携帯電話（９）から携帯電話（４）を介し、より遠くから振動モーター（２）の制御が可能になる。
【図面の簡単な説明】
【０００８】
【図１】  本考案の概念図
【図２】  請求項２の概念図
【符号の説明】  １    本体
２    振動モーター
３    Ｗｉｆｉモジュール又はブルートゥースモジュール
４    携帯電話
５    Ｗｉｆｉ又はブルートゥースの信号
６    アプリケーション上のボタン
７    電池
８    電池カバー
９    外部の携帯電話
【図１】
0003184671.tif 000003
【図２】
0003184671.tif 000004